(57)【要約】【課題】基材層とクッション層との間に水が浸入しないようにするためのシーリング材が、長期に使用しても切れたり外れたりすることがなく、且つ多種サイズの浴室用洗い場床に対して対応可能な浴室用洗い場床を提供する。【解決手段】基上面部に別体で形成された縁部材が枠状に取付固定されることで、縁部よりも内方側に凹部が形成された硬質の基材層と、凹部を覆うように、且つ端部が縁部材の上に位置するように基材上に積層され、上下方向に伸び縮み可能なクッション層と、基材層とクッション層との間に水が浸入することを防止するため、縁部上に位置するクッション層の周縁部をシーリング材で水密的にシールするシール部とを備え、クッション層の縁部材上に位置する部分は、凹部上に位置する部分に比べて上下方向の伸び縮みが小さくなるように構成されており、縁部材は、複数に分割形成されていることを特徴とする。【選択図】図１
2010077608.tif 000002
【特許請求の範囲】
【請求項１】
上面部に別体で形成された縁部材が枠状に取付固定されることで、前記縁部よりも内方側に凹部が形成された硬質の基材層と、
前記凹部を覆うように、且つ端部が前記縁部材の上に位置するように前記基材上に積層され、上下方向に伸び縮み可能なクッション層と、
前記基材層と前記クッション層との間に水が浸入することを防止するため、前記縁部上に位置する前記クッション層の周縁部をシーリング材で水密的にシールするシール部とを備えた浴室用洗い場床であって、
前記クッション層の前記縁部材上に位置する部分は、前記凹部上に位置する部分に比べて上下方向の伸び縮みが小さくなるように構成されており、
前記縁部材は、分割形成された複数の部材から枠状に形成されていることを特徴とする浴室用洗い場床。
【請求項２】
枠状に形成された前記縁部材は、各辺同士の交点部で分割されていることを特徴とする請求項１記載の浴室用洗い場床。
【請求項３】
前記基材の端部には排水口部が形成されており、前記排水口部側の前記縁部材は、前記排水口部の形状に沿った形に分割形成されていることを特徴とする請求項１または２に記載の浴室用洗い場床。
【請求項４】
前記縁部材の上面にはコーキング剤が注入されるコーキング溝が形成されており、
前記縁部材の各辺同士の交点部には、隣り合う辺同士の前記コーキング溝を連通させるために、上面に連通溝が形成されたコーナーピースが分割形成されていることを特徴とする請求項２記載の浴室用洗い場床。
【請求項５】
前記縁部材の上面または下面にはコーキング剤が注入されるコーキング溝が形成されており、
前記縁部材の各辺同士の交点部は、それぞれ４５度に形成されていることで、隣り合う辺同士の前記コーキング溝が、連通した状態で取付固定されることを特徴とする請求項２記載の浴室用洗い場床。
【請求項６】
前記クッション層は、前記基材層の凹部内に収容された弾性変形可能なクッション材と、前記凹部を覆うように前記クッション材の上に積層されると共に、前記クッション材を介さずに前記縁部の上面に積層される可撓性と耐水性を有する表面材と、を有していることを特徴とする請求項１〜５のいずれかに記載の浴室用洗い場床。
【発明の詳細な説明】
【技術分野】
【０００１】
本発明は、浴室用洗い場床に関する。
【背景技術】
【０００２】
従来より、浴室の洗い場床にクッション性を付与する構造が提案されている。例えば、特許文献１には、ＦＲＰ（Fiber Reinforced Plastic）からなる基材と、発泡層と、軟質材からなる表面層とを順に積層し一体化した浴室洗い場床が開示されている。また、特許文献２には、ゴム弾性体の内部に液収容空所を形成してなるクッション材を固定状態に設置した上、液収容空所に、水、湯等の液を収容して洗い場床を構築した構造が開示されている。
【特許文献１】特開２００１−２４５８１４号公報
【特許文献２】特開平９−１２２０２８号公報
【発明の開示】
【発明が解決しようとする課題】
【０００３】
一般に、クッション層は荷重を支えるのに十分な強度を確保しにくく、クッション層とは別に、荷重を支えるための強度を担保する基材が必要となる。その場合、基材とクッション層との間に水が浸入すると、クッション層が濡れてクッション性が悪化したり、カビが発生するおそれがあるため、クッション層の周縁部をシリコンや目地などのシーリング材で水密にシールすることが必要となる。
【０００４】
クッション層は、洗い場床面上から荷重がかかると、上下方向に伸び縮みするものであるが、クッション層の周縁部も同様に上下方向に伸び縮みしてしまうと、その部分に設けたシリコンが切れたり、目地が外れてしまい、水密性が損なわれたり、見栄えが悪くなる問題が懸念される。
【０００５】
また、シーリング材が切れたり外れたりしないようにする対策として、基材層はクッション性を付与していない洗い場床にも対応可能であることが好ましいため、基材層自体の形状は特殊形状でないことが好ましい。その場合、基材層とは別体の部材が必要となるが、この部材は、多種サイズの洗い場床に対して、対応可能にすることが好ましい。
【０００６】
本発明は上述の問題に鑑みてなされ、基材層とクッション層との間に水が浸入しないようにするためのシーリング材が、長期に使用しても切れたり外れたりすることがなく、且つその対策として、基材層自体は特殊な形状にすることなく、多種サイズの洗い場床に対しても対応可能な浴室用洗い場床を提供する。
【課題を解決するための手段】
【０００７】
本発明の一態様によれば、
上面部に別体で形成された縁部材が枠状に取付固定されることで、前記縁部よりも内方側に凹部が形成された硬質の基材層と、
前記凹部を覆うように、且つ端部が前記縁部材の上に位置するように前記基材上に積層され、上下方向に伸び縮み可能なクッション層と、
前記基材層と前記クッション層との間に水が浸入することを防止するため、前記縁部上に位置する前記クッション層の周縁部をシーリング材で水密的にシールするシール部とを備えた浴室用洗い場床であって、
前記クッション層の前記縁部材上に位置する部分は、前記凹部上に位置する部分に比べて上下方向の伸び縮みが小さくなるように構成されており、
前記縁部材は、分割形成された複数の部材から枠状に形成されていることを特徴とする浴室用洗い場床が提供される。
【発明の効果】
【０００８】
本発明によれば、基材層とクッション層との間に水が浸入しないようにするためのシーリング材が、長期に使用しても切れたり外れたりすることがなく、且つその対策として、基材層自体は特殊な形状にすることなく、多種サイズの洗い場床に対しても対応可能な浴室用洗い場床が提供される。
【発明を実施するための最良の形態】
【０００９】
浴室の洗い場床に柔らかさを付与するために、弾性変形可能なクッション性を有する材料で洗い場床を構成することが考えられる。しかしながら、クッション性を有する材料で洗い場床を構成した場合、荷重を支えるのに十分な強度を確保しにくく、クッション層とは別に、クッション層より荷重を支えるための強度の大きな基材層が必要となる。すなわち、洗い場床に柔らかさを付与しつつ、洗い場床として求められる最低限の基本性能を確保するためには少なくとも基材層、クッション層を組み合わせた構造にすることが望ましい。
【００１０】
また、洗い場床の表面は、耐水性、耐薬品性、耐衝撃性など、洗い場床として求められる基本性能を満足したものである必要がある。これらを満足するためには、クッション層を、上下方向に伸び縮み可能なクッション材と、クッション材の表面側に可撓性のあるクッション材とは異なる材料で形成され、洗い場床の表面としての基本性能を満足した表面材を積層する２層構造のクッション層にする必要がある。この場合、表面材は、下層にあるクッション材のクッション性を低下させない程度の薄いシートを用いることが好ましい。
【００１１】
さらに、基材層とクッション層との間に水が浸入すると、クッション層が濡れてクッション性が悪化したり、カビが発生したりするおそれがあるため、クッション層の周縁部はシリコンや目地などのシーリング材で水密にシールすることが必要となる。
【００１２】
しかしながら、クッション層は、洗い場床面上から荷重がかかると、上下方向に伸び縮み（可動）するものであるが、クッション層の周縁部も同様に上下方向に伸び縮みしてしまうと、その部分に設けたシリコンが切れたり、目地が外れてしまい、水密性が損なわれたり、見栄えが悪くなる問題が懸念される。そこで、以下に説明する本発明実施形態では、洗い場床に柔らかさを付与しつつ、且つ、基材層とクッション層との間に水が浸入しないようにするためのシーリング材が、長期に使用しても切れたり外れたりすることのない浴室用洗い場床を提供する。
【００１３】
［第１の実施形態］
図１は、本発明の第１の実施形態に係る浴室用洗い場床の模式断面図である。
【００１４】
本実施形態に係る洗い場床は、硬質の基材層１と、基材層１の上に積層されたクッション性を有するクッション層３とを備える。
【００１５】
基材層１は、浴室外に湯水を漏出させない防水性、および壁パネル５０、天井パネル、風呂椅子、洗面器などの静荷重、使用者の動荷重を受けても撓んだり破損しない十分な強度を有し、例えば、ＦＲＰ（Fiber Reinforced Plastic）等の熱硬化性樹脂、あるいはポリプロピレン、ポリエチレン等の熱可塑性樹脂に補強を施したものから形成されている。
【００１６】
基材層２１は、浅底パン状の基材部２２と、この基材部２２の上面部（底面部）２２ａ上に、基材部２２とは別体として設けられた縁部材２３とを有する。この縁部材２３はクッション層３よりも硬質な材料からなる。また、基材部２２の最外縁部には、上方に立ち上がった水返し壁として機能する側壁部２４が設けられている。
【００１７】
基材部２２の上面部２２ａの上面はフラットに形成され、その上面における側壁部２４内方側近傍の縁部に、縁部材２３が接着固定または溶着固定されている。縁部材２３は、洗い場床の縁部全周にわたって設けてもよいし、あるいはシール切れの対策上特に必要とされる部分（出入口部や排水口の周囲など）にのみ設けてもよい。
【００１８】
縁部材２３によって、縁部材２３の内側に凹部２５が形成される。縁部材２３は凹部２５の側壁として機能し、縁部材２３の上面は、凹部２５の上面（底面）よりも一段高くされている。
【００１９】
クッション層３におけるクッション材４は、凹部２５に全体が収容され、凹部２５の上面（底面）に例えば両面テープ等の接着剤により接着固定される。
【００２０】
表面材５は、クッション材４の上面及び凹部２５を覆うようにクッション材４に積層される。表面材５の平面サイズは、クッション材４の平面サイズより大きく（縦横ともに長く形成されている）、表面材５においてクッション材４からはみ出る周縁部５ａは、クッション材４を介さずに縁部材２３の上面に積層され接着固定される。
【００２１】
凹部２５より外方側に配置される表面材５の周縁部には、クッション層３と、基材層２１の縁部材２３との間に水が浸入することを防止するために、表面材５の周縁部を例えばシリコンや目地部材等のシーリング材３１で水密的にシールするシール部３０が設けられている。
【００２２】
このシーリング材３１が設けられた表面材５の周縁部５ａは、クッション材４を介さずに硬質の縁部材２３に接着固定さているため、その周縁部５ａに荷重がかかっても厚さ方向（鉛直方向）に大きく撓むことがなく、また撓むことがないため、撓んだ（沈み込んだ）状態から上方に大きく復元することもない。すなわち、周縁部５ａが上下に大きく変動することがない。したがって、その周縁部５ａに設けられたシーリング材３１を引っ張ったり、浮き上がらせるような大きな応力が作用せず、シーリング材３１が切れたり、外れたりすることがない。この結果、シール性及び見栄えを損ねない。
【００２３】
したがって、本実施形態においても、洗い場床に柔らかさを付与しつつ、且つ、基材層２１とクッション層３との間に水が浸入しないようにするためのシーリング材３１が、長期に使用しても切れたり外れたりすることのない洗い場床を提供することができる。
【００２４】
また、本実施形態では、シンプルな浅底パン形状の基材部２２に対して別体で縁部材２３を設けた構造であるため、既存の洗い場床パンをそのまま流用でき、容易に本実施形態の構造を適用可能である。
【００２５】
また、シール部３０の外方側には壁パネル５０を載置するための壁パネル載置部２２ｂが設けられている。基材部２２の上面部２２ａの上面において、縁部材２３が設けられた部分と側壁部２４との間の部分が壁パネル載置部２２ｂとして機能する。
【００２６】
シーリング材３１は、表面材５の周縁部５ａと基材層縁部材２３との間、および壁パネル５０と縁部材２３との間を兼用して水密的にシールする。シーリング材３１は、浴室全体の意匠性を損ねてしまうという問題と、シーリング材３１にカビなどの汚れが付着して意匠性を損ねてしまうという問題と、シリコンが切れたり、目地部材が外れたりするという問題があるため、極力、少なくすることが求められる。本実施形態においては、表面材５の周縁部５ａと縁部材２３との間のシールと、壁パネル５０と縁部材２３との間のシールとを、同じ１箇所のシール部３０で行うため一つのシーリング材３１を兼用でき、シーリング材３１が１個で済み、上記問題を抑制できる。
【００２７】
壁パネル５０は、硬質の基材部２２の一部分である壁パネル載置部２２ｂの上に載置され、クッション層３の上に載置されていないため、クッション層３のメンテナンス（交換）の際に浴室ユニットを解体しなくても済む。また、クッション層３の弾性変形によって壁パネル５０が傾くなどして、壁パネル５０及びその上の天井パネルの支持が不安定になることがない。
【００２８】
［第２の実施形態］
図２は、本発明の第２の実施形態に係る浴室用洗い場床の模式断面図である。第１の実施形態とは、クッション層が１層で形成されている点が異なるのみで、その他は同様の構成、作用、効果を有するため説明を省略する。
【００２９】
本実施形態におけるクッション層３は、クッション性を有すると共に少なくとも浴室内側に露出する表面が耐水性を有する。例えば、型内発泡のモールド体は緻密なスキン層が得られ、その緻密なスキン層によって表面に耐水性を付与しつつ、クッション性も有する構造が可能である。
【００３０】
クッション層３の表面は、浴室内に露出し、使用者が触れたり、湯水にさらされる面となるため、耐水性、耐薬品性、耐衝撃性を有し、また下層のクッション部４ａの弾性変形に追従可能な可撓性を有する。
【００３１】
クッション層３において浴室内側に設けられる周縁部４ｂは、クッション部４ａを介さずに基材層１の縁部６の上面に積層される。周縁部４ｂは、例えば接着剤で基材層１の縁部６の上面に接着固定される。
【００３２】
周縁部４ｂは、クッション部４ａよりも厚みが薄いため鉛直方向の変形量が極めて小さく、具体的には、周縁部４ｂの厚みを、鉛直方向にほとんど弾性変形しない程度の厚み（８ｃｍ以下、好ましくは５ｃｍ以下、より好ましくは２ｃｍ以下）とすることで、周縁部４ｂに１００Ｎ／ｃｍ２の荷重を加えた際の鉛直方向の変形量を０．５ｍｍ〜２．０ｍｍに抑えている。このように、クッション部４ａと周縁部４ｂとを有するクッション層３は、浴室内側に面する表面が１／５０程度の僅かな排水勾配を有する平面から形成されている。一方、裏面はクッション部４ａが周縁部４ｂより厚く形成されている。
【００３３】
基材層１の凹部より外方側に配置されるクッション層３の周縁部４ｂには、クッション層３と基材層１との間に水が浸入することを防止するために、周縁部４ｂを例えばシリコンや目地部材等のシーリング材３１で水密的にシールするシール部３０が設けられている。
【００３４】
このシーリング材３１が設けられたクッション層３の周縁部４ｂは、クッション部４ａを介さずに硬質の基材層１の縁部材２３に接着固定さているため、その周縁部４ｂに荷重がかかっても厚さ方向（鉛直方向）に大きく撓むことがなく、また撓むことがないため、撓んだ（沈み込んだ）状態から上方に大きく復元することもない。すなわち、周縁部４ｂが上下に大きく変動することがない。したがって、その周縁部４ｂに設けられたシーリング材３１を引っ張ったり、浮き上がらせるような大きな応力が作用せず、シーリング材３１が切れたり、外れたりすることがない。この結果、シール性及び見栄えを損ねない。
【００３５】
硬質の縁部材２３の上にクッション部４ａを介さずに周縁部４ｂを接着させた部分は、洗い場床の縁部全周にわたって設けてもよいし、あるいはシール切れの対策上特に必要とされる部分にのみ設けてもよい。ここで、「特に必要とされる部分」とは、洗い場床において使用者によって踏まれる頻度の高い縁部であり、例えば出入口部や排水口の周囲などの縁部である。逆に言えば、使用者によって踏まれにくく荷重がかかる心配が少ない例えばカウンター下の縁部などには上記構造を採用せずに、シーリング材３１の近傍にクッション部４ａが存在する構造としてもよい。
【００３６】
本実施形態によれば、洗い場床に柔らかさを付与しつつ、且つ、基材層１とクッション層３との間に水が浸入しないようにするためのシーリング材３１が、長期に使用しても切れたり外れたりすることのない洗い場床を提供することができる。
【００３７】
以下に、第１実施形態および第２実施形体で説明した縁部材２３について詳しく説明する。図３に示すように、基材部２２のフラットな上面部２２ａに取り付けられる縁部材２３は複数の部材が分割形成され、それら複数の部材が一体的に当接されることで枠状に構成されている。
【００３８】
平面視矩形状に形成された基材部２２に対して、縁部材２３は略口状に配設されている。具体的には、浴槽と隣接する長辺部に配設された浴槽側長辺縁部４４と、浴槽と離れた位置で対向する長辺部に位置し、浴槽側長辺縁部４４と略平行に配設された浴槽離側長辺縁部４３と、浴槽側長辺縁部４４の一端側と浴槽離側長辺縁部４３の一端側を繋ぐ左側短辺縁部４１と、浴槽側長辺縁部４４の他端部側と浴槽離側長辺縁部４３の他端部側を繋ぐ右側短辺縁部４２とを備えている。
【００３９】
これら縁部４１，４２，４３，４４は、それぞれ分割形成されている。さらに、浴槽と隣接する長辺部の中央には洗い場排水口部が形成されており、浴槽側長辺縁部４４は、排水口部の形状に沿うように形成された排水口縁部４５と、排水口縁部４５の一端側から左側短辺縁部４１の端部側とを繋ぐ浴槽側左縁部４６と、排水口縁部４５の他端側から右側短辺縁部４２の端部側とを繋ぐ浴槽側右縁部４７と、から構成されており、縁部４５，４６，４７はそれぞれ分割形成されている。
【００４０】
また、図４（ａ）に示すように、排水口縁部４５は、平面視で浴槽側に開口した凹形状に形成されている。また、図５（ａ）に示すように、浴槽側長辺縁部４４の一端部と、左側短辺縁部４１の間には、分割形成された平面視でＬ字状のコーナーピース４９が取り付けられている。このコーナーピース４９は、浴槽離側長辺縁部４３の一端部と左側短辺縁部４１の間、浴槽離側長辺縁部４３の他端部と右側短辺縁部４２の間、および浴槽側長辺縁部４４の他端部と右側短辺縁部４２の間にも同様に配設されている。
【００４１】
このように縁部材２３が、複数の縁部から分割構成されていることで以下の効果がある。通常、洗い場床は多種のサイズを品揃えしている。つまり、基材部２２の平面サイズは複数ある。多種サイズの基材部２２それぞれに対して、枠状に成形された縁部材２３を製造することは、コスト的な面から好ましくない。一方、本発明のように、縁部材２３が分割形成することで、直線状に形成された縁部材２３をサイズに合わせてカットするだけで、少なくとも縁部４１、４２，４３、４６、４７を一つの成形品で賄うことが可能となる。この際、縁部４１，４２，４３，４６，４７の断面形状は同一であることが好ましい。また、洗い場排水口部のサイズは、洗い場床のサイズが変わる場合であっても、同サイズであることが多いため、一つの排水口縁部４５を用意しておけば、多種サイズの洗い場床に対応することは可能である。また、洗い場床の四隅に配設されるコーナーピース４９はＬ字状に形成されているため、一つの成型品で、四隅のコーナーピースを賄うことが可能となる。
【００４２】
以上の通り、縁部材２３を複数の分割された縁部から構成することにより、多種サイズの洗い場床に対応することが可能となるため、製造コストを大幅に削減できる。
【００４３】
さらに、本発明における縁部材２３の上面および下面には、コーキング剤（例えばシリコン）が充填されるコーキング溝７１がそれぞれ形成されており、これら複数の縁部にそれぞれ形成されたコーキング溝７１は、それぞれ連通した状態で取り付けられている。縁部材２３の上面および下面には、それぞれ接着テープが貼着されるテープ溝７２が形成されており、これらテープ溝７２も、それぞれが連通した状態で取り付けられている。
【００４４】
縁部材２３の上面に充填されるコーキング剤は、表面材５の縁部５ａ裏面またはクッション層の縁部４ｂ裏面と、縁部材２３上面の間の接着と止水を目的としたものである。また、縁部材２３の下面に充填されるコーキング剤は、基材部２２の上面と、縁部材２３下面の間の接着と止水を目的としたものである。溝を設けることにより、コーキング剤を任意の位置に留めて固着させることができる。また、コーキング剤を塗った部分や、テープ部を貼着した部分の洗い場床表面が、盛り上がらないようになる効果もある。
【００４５】
それぞれの縁部２３上面および下面に形成されているコーキング溝７１およびテープ溝７２は、枠状に連通した状態で取設されている。これは、止水ラインを隙間なく連続させることが目的である。
【００４６】
そのために、Ｌ字状に形成されたコーキング溝（連通溝）７１とテープ溝７２を有するコーナーピース４９を用いて、二つの縁部が直角に交差する部分にも、隙間なく止水ラインを確保するようにしている。
【００４７】
尚、コーナーピース４９を設けない場合は、直角に交差した状態で取設される二つの縁部の端部を平面視略４５度の傾斜形状とする。このようにすることで、コーナーピースを設けずとも、連続した枠状の止水ラインを形成することが可能となる。
【００４８】
尚、図６に示すように、縁部材２３の凹部側の側面は下部が鋭角、上部が下部よりも鈍角となるような傾斜状に形成されている。上述したように、凹部上の洗い場床表面はクッション性があるが、縁部上の洗い場床表面は、クッション性が低い。このため、縁部材２３の凹部側の側面が基材部に対して直角に形成されていると、車椅子使用者が洗い場床に入った際には、段差を感じてしまうおそれがある。本発明によれば、縁部材２３の凹部側の側面が基材部に対して緩やかに傾斜（基材部に対して２０〜７０度の傾斜角）しているため、凹部上と縁部上との間を移動する際に段差を感じることがないため、好ましい。
【図面の簡単な説明】
【００４９】
【図１】本発明の第１の実施形態に係る浴室用洗い場床の模式断面図。
【図２】本発明の第２の実施形態に係る浴室用洗い場床の模式断面図。
【図３】本発明の縁部材の分解平面図。
【図４】本発明の排水口縁部の平面図と断面図。
【図５】本発明のコーナーピースの平面図と断面図。
【図６】本発明の第１の実施形態に係る浴室用洗い場床の部分拡大断面図。
【符号の説明】
【００５０】
１…基材層、３…クッション層、４…クッション材、５…表面材、２３…縁部材、２５…凹部、３０…シール部、３１…シーリング材、５０…壁パネル、４１…左側短辺縁部、４２…右側短辺縁部、４３…浴槽離側長辺縁部、４４…浴槽側長辺縁部、４５…排水口縁部、４６…浴槽側左縁部、４７…浴槽側右縁部、７１…コーキング溝、７２…テープ溝、
【図１】
2010077608.tif 000003
【図２】
2010077608.tif 000004
【図３】
2010077608.tif 000005
【図４】
2010077608.tif 000006
【図５】
2010077608.tif 000007
【図６】
2010077608.tif 000008